(57)【特許請求の範囲】
【請求項１】
第１相関色温度で発光する第１ＬＥＤと、前記第１ＬＥＤに第１駆動電流を供給する第１駆動回路と、第２相関色温度で発光する第２ＬＥＤと、前記第２ＬＥＤに第２駆動電流を供給する第２駆動回路と、前記第１駆動回路および前記第２駆動回路を制御する駆動制御部とを備える照明装置であって、
前記第１駆動電流の電流値および前記第２駆動電流の電流値は、制御対象である前記第１ＬＥＤおよび前記第２ＬＥＤそれぞれの明るさおよび相関色温度に対応させて予め規定されてあり、
前記明るさおよび前記相関色温度が指定された場合に、
指定された前記明るさおよび前記相関色温度に対応する前記第１駆動電流の電流値が、前記第１ＬＥＤの発光特性に基づいて安定した直流電流の下限値として予め特定された特定電流値より小さいとき、前記第１駆動回路は、前記特定電流値をＨレベルとする直流電流にパルス幅変調を施して指定された前記明るさおよび前記相関色温度に対応する前記第１駆動電流を生成して前記第１ＬＥＤに供給し、
指定された前記明るさおよび前記相関色温度に対応する前記第１駆動電流の電流値が、前記特定電流値より大きいとき、前記第１駆動回路は、指定された前記明るさおよび前記相関色温度に対応する直流電流の前記第１駆動電流を生成して前記第１ＬＥＤに供給し、
指定された前記明るさおよび前記相関色温度に対応する前記第２駆動電流の電流値が、前記第２ＬＥＤの発光特性に基づいて安定した直流電流の下限値として予め特定された特定電流値より小さいとき、前記第２駆動回路は、前記特定電流値をＨレベルとする直流電流にパルス幅変調を施して指定された前記明るさおよび前記相関色温度に対応する前記第２駆動電流を生成して前記第２ＬＥＤに供給し、
指定された前記明るさおよび前記相関色温度に対応する前記第２駆動電流の電流値が、前記特定電流値より大きいとき、前記第２駆動回路は、指定された前記明るさおよび前記相関色温度に対応する直流電流の前記第２駆動電流を生成して前記第２ＬＥＤに供給する構成とされていること
を特徴とする照明装置。
【請求項２】
請求項１に記載の照明装置であって、
前記特定電流値は、前記第１ＬＥＤの発光特性および前記第２ＬＥＤの発光特性に基づいて予め特定されていること
を特徴とする照明装置。
【請求項３】
請求項１または請求項２に記載の照明装置であって、
前記第１ＬＥＤおよび前記第２ＬＥＤは、直流電源と基準電位線との間に並列に接続され、
前記第１駆動回路は、
一端が前記基準電位線に接続された第１電流検出素子と、前記第１電流検出素子の他端と前記第１ＬＥＤとの間に接続された第１スイッチング素子と、第１非反転入力端子と第１反転入力端子を有して前記第１スイッチング素子のオンオフを制御する第１演算増幅器と、前記第１非反転入力端子に第１参照電圧を入力する第１参照電圧源とを備え、前記第１電流検出素子と前記第１スイッチング素子との接続点の電位は前記第１演算増幅器の前記第１反転入力端子に入力されてあり、
前記第２駆動回路は、
一端が前記基準電位線に接続された第２電流検出素子と、前記第２電流検出素子の他端と前記第２ＬＥＤとの間に接続された第２スイッチング素子と、第２非反転入力端子と第２反転入力端子を有して前記第２スイッチング素子のオンオフを制御する第２演算増幅器と、前記第２非反転入力端子に第２参照電圧を入力する第２参照電圧源とを備え、前記第２電流検出素子と前記第２スイッチング素子との接続点の電位は前記第２演算増幅器の前記第２反転入力端子に入力されてあること
を特徴とする照明装置。
【請求項４】
請求項３に記載の照明装置であって、
前記駆動制御部は、前記第１ＬＥＤに供給する前記第１駆動電流に対応させて前記第１参照電圧源の前記第１参照電圧を制御し、前記第２ＬＥＤに供給する前記第２駆動電流に対応させて前記第２参照電圧源の前記第２参照電圧を制御すること
を特徴とする照明装置。
【請求項５】
請求項３または請求項４に記載の照明装置であって、
前記基準電位線と前記第１演算増幅器の前記第１非反転入力端子との間に接続された第３スイッチング素子と、前記基準電位線と前記第２演算増幅器の前記第２非反転入力端子との間に接続された第４スイッチング素子とを備えること
を特徴とする照明装置。
【請求項６】
請求項１から請求項５までのいずれか一つに記載の照明装置であって、
前記第１相関色温度は暖色系であり、前記第２相関色温度は寒色系であること
を特徴とする照明装置。
【請求項７】
請求項１から請求項６までのいずれか一つに記載の照明装置であって、
前記第１ＬＥＤは、複数の同一仕様のＬＥＤを含む第１ＬＥＤ群であり、前記第２ＬＥＤは、複数の同一仕様のＬＥＤを含む第２ＬＥＤ群であること
を特徴とする照明装置。
【発明の詳細な説明】
【技術分野】
【０００１】
本発明は、発光ダイオード（ＬＥＤ）の発光特性（ばらつき）による影響を抑制して明るさおよび相関色温度を安定的に調整することが可能な照明装置に関する。
【背景技術】
【０００２】
ＬＥＤを照明装置に適用することが提案されている。また、調光技術として、ＬＥＤに供給する電流の小さい低輝度領域における電流制御について、いくつかの提案がされている（例えば、特許文献１ないし特許文献３参照。）。
【０００３】
これらの特許文献には、単色のＬＥＤに対する調光が開示されているが異なる相関色温度を有するＬＥＤに対する調光、調色については開示が無い。
【先行技術文献】
【特許文献】
【０００４】
【特許文献１】特開２００８−６０２２２号公報
【特許文献２】特開２００９−５４４２５号公報
【特許文献３】特開２００６−１３５２９７号公報
【発明の概要】
【発明が解決しようとする課題】
【０００５】
上述したとおり、従来の特許文献では、単一の相関色温度を有するＬＥＤに対する調光技術は開示されているが、第１の相関色温度を有する第１ＬＥＤ、第２の相関色温度を有する第２ＬＥＤに対する調光および調色を併せて行う技術は開示されていない。
【０００６】
また、照明装置に対するＬＥＤの採用が広がるに従って、調光と調色を広い範囲で効果的に行う深調光に関する新規な提案が求められるようになっている。
【０００７】
本発明はこのような状況に鑑みてなされたものであり、指定された明るさに基づいて調光制御をするとき、または、指定された相関色温度に基づいて調色制御をするとき、ＬＥＤ（第１ＬＥＤおよび第２ＬＥＤ）に供給する電流値について、予め特定された特定電流値を境界として特定電流値より小さい電流を供給するときは、特定電流値を有する直流電流にパルス幅変調を施して駆動電流（第１駆動電流、第２駆動電流）とし、特定電流値以上の電流を供給するときは直流電流を供給することにより、特定電流値より小さい電流範囲での駆動においてもＬＥＤの発光特性（ばらつき）による影響を抑制して明るさおよび相関色温度を安定的に調整することが可能となり、広い範囲での調光制御および調色制御を高精度にかつ効果的に行うことができる照明装置を提供することを目的とする。
【課題を解決するための手段】
【０００８】
本発明に係る照明装置は、第１相関色温度で発光する第１ＬＥＤと、前記第１ＬＥＤに第１駆動電流を供給する第１駆動回路と、第２相関色温度で発光する第２ＬＥＤと、前記第２ＬＥＤに第２駆動電流を供給する第２駆動回路と、前記第１駆動回路および前記第２駆動回路を制御する駆動制御部とを備える照明装置であって、前記第１駆動電流の電流値および前記第２駆動電流の電流値は、制御対象である前記第１ＬＥＤおよび前記第２ＬＥＤそれぞれの明るさおよび相関色温度に対応させて予め規定されてあり、前記明るさおよび前記相関色温度が指定された場合に、指定された前記明るさおよび前記相関色温度に対応する前記第１駆動電流の電流値が、前記第１ＬＥＤの発光特性に基づいて安定した直流電流の下限値として予め特定された特定電流値より小さいとき、前記第１駆動回路は、前記特定電流値をＨレベルとする直流電流にパルス幅変調を施して指定された前記明るさおよび前記相関色温度に対応する前記第１駆動電流を生成して前記第１ＬＥＤに供給し、指定された前記明るさおよび前記相関色温度に対応する前記第１駆動電流の電流値が、前記特定電流値より大きいとき、前記第１駆動回路は、指定された前記明るさおよび前記相関色温度に対応する直流電流の前記第１駆動電流を生成して前記第１ＬＥＤに供給し、指定された前記明るさおよび前記相関色温度に対応する前記第２駆動電流の電流値が、前記第２ＬＥＤの発光特性に基づいて安定した直流電流の下限値として予め特定された特定電流値より小さいとき、前記第２駆動回路は、前記特定電流値をＨレベルとする直流電流にパルス幅変調を施して指定された前記明るさおよび前記相関色温度に対応する前記第２駆動電流を生成して前記第２ＬＥＤに供給し、指定された前記明るさおよび前記相関色温度に対応する前記第２駆動電流の電流値が、前記特定電流値より大きいとき、前記第２駆動回路は、指定された前記明るさおよび前記相関色温度に対応する直流電流の前記第２駆動電流を生成して前記第２ＬＥＤに供給する構成とされていることを特徴とする。
【０００９】
したがって、本発明に係る照明装置は、指定された明るさに基づいて調光制御をするとき、または、指定された相関色温度に基づいて調色制御をするとき、ＬＥＤ（第１ＬＥＤおよび第２ＬＥＤ）に供給する電流値について、予め特定された特定電流値を境界として特定電流値より小さい電流を供給するときは、特定電流値を有する直流電流にパルス幅変調を施して駆動電流（第１駆動電流、第２駆動電流）とし、特定電流値以上の電流を供給するときは直流電流を供給することから、特定電流値より小さい電流範囲での駆動においてもＬＥＤの発光特性（ばらつき）による影響を抑制して明るさおよび相関色温度を安定的に調整することが可能となり、広い範囲での調光制御および調色制御を高精度にかつ効果的に行うことができる。
【００１０】
また、本発明に係る照明装置では、前記特定電流値は、前記第１ＬＥＤの発光特性および前記第２ＬＥＤの発光特性に基づいて予め特定されていることを特徴とする。
【００１１】
したがって、本発明に係る照明装置は、第１ＬＥＤおよび第２ＬＥＤの発光特性に基づいて、特定電流値が特定されていることから、特定電流値をＨレベルとする直流電流に対するＰＷＭを施した電流で第１ＬＥＤおよび第２ＬＥＤを駆動（制御）するので、第１ＬＥＤおよび第２ＬＥＤの発光特性が低電流領域（特定電流値より小さい電流領域）でばらついている場合でも、安定した高精度の明るさ制御（調光制御）および相関色温度制御（調色制御）を実現して幅広い安定した調光、調色を行うことができる。
【００１２】
また、本発明に係る照明装置では、前記第１ＬＥＤおよび前記第２ＬＥＤは、直流電源と基準電位線との間に並列に接続され、前記第１駆動回路は、一端が前記基準電位線に接続された第１電流検出素子と、前記第１電流検出素子の他端と前記第１ＬＥＤとの間に接続された第１スイッチング素子と、第１非反転入力端子と第１反転入力端子を有して前記第１スイッチング素子のオンオフを制御する第１演算増幅器と、前記第１非反転入力端子に第１参照電圧を入力する第１参照電圧源とを備え、前記第１電流検出素子と前記第１スイッチング素子との接続点の電位は前記第１演算増幅器の前記第１反転入力端子に入力されてあり、前記第２駆動回路は、一端が前記基準電位線に接続された第２電流検出素子と、前記第２電流検出素子の他端と前記第２ＬＥＤとの間に接続された第２スイッチング素子と、第２非反転入力端子と第２反転入力端子を有して前記第２スイッチング素子のオンオフを制御する第２演算増幅器と、前記第２非反転入力端子に第２参照電圧を入力する第２参照電圧源とを備え、前記第２電流検出素子と前記第２スイッチング素子との接続点の電位は前記第２演算増幅器の前記第２反転入力端子に入力されてあることを特徴とする。
【００１３】
したがって、本発明に係る照明装置は、第１参照電圧に応じた定電流（第１駆動電流）を第１駆動回路から第１ＬＥＤに供給し、第２参照電圧に応じた定電流（第２駆動電流）を第２駆動回路から第２ＬＥＤに供給することから、第１駆動回路および第２駆動回路を定電流回路として機能させるので、第１ＬＥＤおよび第２ＬＥＤに対する調光制御および調色制御を高精度に実現できる。
【００１４】
また、本発明に係る照明装置では、前記駆動制御部は、前記第１ＬＥＤに供給する前記第１駆動電流に対応させて前記第１参照電圧源の前記第１参照電圧を制御し、前記第２ＬＥＤに供給する前記第２駆動電流に対応させて前記第２参照電圧源の前記第２参照電圧を制御することを特徴とする。
【００１５】
したがって、本発明に係る照明装置は、駆動制御部によって第１駆動電流に対応させて第１参照電圧を調整し、駆動制御部によって第２駆動電流に対応させて第２参照電圧を調整することから、調光制御および調色制御に応じた第１駆動電流および第２駆動電流を容易に発生し、また、特定電流値に対応する第１駆動電流および第２駆動電流を容易に発生することができる。
【００１６】
また、本発明に係る照明装置では、前記基準電位線と前記第１演算増幅器の前記第１非反転入力端子との間に接続された第３スイッチング素子と、前記基準電位線と前記第２演算増幅器の前記第２非反転入力端子との間に接続された第４スイッチング素子とを備えることを特徴とする。
【００１７】
したがって、本発明に係る照明装置は、第３スイッチング素子をオンオフさせて第１演算増幅器の第１非反転入力端子への入力をオンオフすることから、特定電流値に対するパルス幅変調を容易にかつ確実に実行してパルス幅変調を施した第１駆動電流を第１ＬＥＤ１１に供給し、また、第４スイッチング素子をオンオフさせて第２演算増幅器の非反転入力端子への入力をオンオフすることから、特定電流値に対するパルス幅変調を容易にかつ確実に実行してパルス幅変調を施した第２駆動電流を第２ＬＥＤ１２に供給する。
【００１８】
また、本発明に係る照明装置では、前記第１相関色温度は暖色系であり、前記第２相関色温度は寒色系であることを特徴とする。
【００１９】
したがって、本発明に係る照明装置は、暖色から寒色までの広い範囲での調色を実行することができ、また、同一調色を維持した状態での調光を実行することができるので幅広い調光制御および調色制御を違和感なく行うことができる。
【００２０】
また、本発明に係る照明装置では、前記第１ＬＥＤは、複数の同一仕様のＬＥＤを含む第１ＬＥＤ群であり、前記第２ＬＥＤは、複数の同一仕様のＬＥＤを含む第２ＬＥＤ群であることを特徴とする。
【００２１】
したがって、本発明に係る照明装置は、大きな光出力が得られる照明装置となるので、従来の照明器具に対して置き換わることが可能となる。
【発明の効果】
【００２２】
本発明に係る照明装置は、指定された明るさに基づいて調光制御をするとき、または、指定された相関色温度に基づいて調色制御をするとき、ＬＥＤ（第１ＬＥＤおよび第２ＬＥＤ）に供給する電流値について、予め特定された特定電流値を境界として特定電流値より小さい電流を供給するときは、特定電流値を有する直流電流にパルス幅変調を施して駆動電流（第１駆動電流、第２駆動電流）とし、特定電流値以上の電流を供給するときは直流電流を供給する。
【００２３】
したがって、本発明に係る照明装置は、特定電流値より小さい電流範囲での駆動においてもＬＥＤの発光特性（ばらつき）による影響を抑制して明るさおよび相関色温度を安定的に調整することが可能となり、広い範囲での調光制御および調色制御を高精度にかつ効果的に行うことができるという効果を奏する。
【図面の簡単な説明】
【００２４】
【図１】本発明の実施の形態１に係る照明装置の機能ブロックを示すブロック図である。
【図２】図１に示した照明装置における基本的な動作フローを示すフロー図である。
【図３】図１に示した照明装置における第１駆動回路、第２駆動回路、第１ＬＥＤ、第２ＬＥＤの相互関係を具体的に示す回路図である。
【図４】本発明の実施の形態２に係る照明装置１での調光段数、調色段数、第１駆動電流、第２駆動電流、調色相関色温度の相関を示す図表である。
【図５Ａ】図４に示した第１駆動電流および第２駆動電流によって調光制御および調色制御を施したときの調色段数（１段）での調光率（調光段数）対調色相関色温度の状態を示すグラフである。
【図５Ｂ】図４に示した第１駆動電流および第２駆動電流によって調光制御および調色制御を施したときの調色段数（２段）での調光率（調光段数）対調色相関色温度の状態を示すグラフである。
【図５Ｃ】図４に示した第１駆動電流および第２駆動電流によって調光制御および調色制御を施したときの調色段数（５段）での調光率（調光段数）対調色相関色温度の状態を示すグラフである。
【図５Ｄ】図４に示した第１駆動電流および第２駆動電流によって調光制御および調色制御を施したときの調色段数（６段）での調光率（調光段数）対調色相関色温度の状態を示すグラフである。
【図５Ｅ】図４に示した第１駆動電流および第２駆動電流によって調光制御および調色制御を施したときの調色段数（９段）での調光段数対調色相関色温度の状態を示すグラフである。
【図５Ｆ】図４に示した第１駆動電流および第２駆動電流によって調光制御および調色制御を施したときの調色段数（１０段）での調光段数対調色相関色温度の状態を示すグラフである。
【図６】比較例として本発明の実施の形態１に係る照明装置に対して調光制御の最小値を設定した場合における調光段数、調色段数、第１駆動電流、第２駆動電流、調色相関色温度の相関を示す図表である。
【図７Ａ】図６に示した第１駆動電流および第２駆動電流によって調光制御および調色制御を施したときの調色段数（１段）での調光率（調光段数）対調色相関色温度の状態を示すグラフである。
【図７Ｂ】図６に示した第１駆動電流および第２駆動電流によって調光制御および調色制御を施したときの調色段数（５段）での調光率（調光段数）対調色相関色温度の状態を示すグラフである。
【図７Ｃ】図６に示した第１駆動電流および第２駆動電流によって調光制御および調色制御を施したときの調色段数（６段）での調光率（調光段数）対調色相関色温度の状態を示すグラフである。
【図７Ｄ】図６に示した第１駆動電流および第２駆動電流によって調光制御および調色制御を施したときの調色段数（１０段）での調光率（調光段数）対調色相関色温度の状態を示すグラフである。
【発明を実施するための形態】
【００２５】
以下、本発明の実施の形態について図面を参照して説明する。
【００２６】
＜実施の形態１＞
図１ないし図３を参照して、本実施の形態に係る照明装置１について説明する。本実施の形態に係る照明装置１は、暖色を発光する第１ＬＥＤ１１と寒色を発光する第２ＬＥＤ１２との発光状態（駆動電流）の大小関係を変更することによって、暖色から寒色までの広い範囲での調色（相関色温度の調整）と、相関色温度を固定した状態での調光（明るさの調整）とが可能である。以下、詳細に説明する。
【００２７】
図１は、本発明の実施の形態１に係る照明装置１の機能ブロックを示すブロック図である。
【００２８】
本実施の形態に係る照明装置１は、第１相関色温度ＣＴ１（例えば、暖色系で相関色温度２７００Ｋ（ケルビン））で発光する第１ＬＥＤ１１と、第１ＬＥＤ１１に第１駆動電流Ｉｄｗを供給する第１駆動回路１３と、第２相関色温度ＣＴ２（例えば、寒色系で相関色温度６５００Ｋ（ケルビン））で発光する第２ＬＥＤ１２と、第２ＬＥＤ１２に第２駆動電流Ｉｄｃを供給する第２駆動回路１４と、第１駆動回路１３および第２駆動回路１４を制御する駆動制御部２３とを備える。
【００２９】
なお、第１ＬＥＤ１１は、第１ＬＥＤ１１としての同一仕様を有する複数のＬＥＤが必要に応じた個数で直列あるいは並列に接続され（図３参照）、第２ＬＥＤ１２は、第２ＬＥＤ１２としての同一仕様を有する複数のＬＥＤが必要に応じた個数で直列あるいは並列に接続され（図３参照）ている。つまり、第１ＬＥＤ１１は、複数の同一仕様のＬＥＤを含む第１ＬＥＤ群であり、第２ＬＥＤ１２は、複数の同一仕様のＬＥＤを含む第２ＬＥＤ群であることが好ましい。以下では、複数のＬＥＤを含むＬＥＤ群であっても、単に第１ＬＥＤ１１、第２ＬＥＤ１２として記載する。
【００３０】
したがって、照明装置１は、第１ＬＥＤ１１、第２ＬＥＤ１２がそれぞれＬＥＤ群とされていることから、大きな光出力が得られるので、従来の照明器具に対して置き換わることが可能となる。なお、以下では、第１ＬＥＤ１１、第２ＬＥＤ１２を単にＬＥＤとすることがある。
【００３１】
照明装置１では、第１駆動電流Ｉｄｗの電流値および第２駆動電流Ｉｄｃの電流値は、制御対象である明るさ（調光段数ＬＣｍ（例えばｍ＝１〜１０の１０段）。図４参照）および相関色温度（調色段数ＤＣｎ（例えばｎ＝１〜１０の１０段）。図４参照）に対応させて予め規定されてあり、第１ＬＥＤ１１および第２ＬＥＤ１２の発光によって定まる明るさおよび相関色温度が指定された場合に、指定された明るさおよび相関色温度に対応する第１駆動電流Ｉｄｗの電流値が、予め特定された特定電流値Ｉｕ（図４、図６参照）より小さいとき、第１駆動回路１３は、特定電流値Ｉｕに等しい直流電流にパルス幅変調（以下では、ＰＷＭとすることがある。）を施して指定された明るさおよび相関色温度に対応する第１駆動電流Ｉｄｗを生成して第１ＬＥＤ１１に供給する構成とされている。
【００３２】
また、照明装置１では、指定された明るさおよび相関色温度に対応する第１駆動電流Ｉｄｗの電流値が、特定電流値Ｉｕより大きいとき、第１駆動回路１３は、指定された明るさおよび相関色温度に対応する直流電流の第１駆動電流Ｉｄｗを生成して第１ＬＥＤ１１に供給する。
【００３３】
更に照明装置１では、指定された明るさおよび相関色温度に対応する第２駆動電流Ｉｄｃの電流値が、予め特定された特定電流値Ｉｕより小さいとき、第２駆動回路１４は、特定電流値Ｉｕに等しい直流電流にパルス幅変調を施して指定された明るさおよび相関色温度に対応する第２駆動電流Ｉｄｃを生成して第２ＬＥＤ１２に供給し、指定された明るさおよび相関色温度に対応する第２駆動電流Ｉｄｃの電流値が、特定電流値Ｉｕより大きいとき、第２駆動回路１４は、指定された明るさおよび相関色温度に対応する直流電流の第２駆動電流Ｉｄｃを生成して第２ＬＥＤ１２に供給する構成とされている。
【００３４】
したがって、本実施の形態に係る照明装置１は、指定された明るさ（調光段数ＬＣｍ）に基づいて調光制御をするとき、または、指定された相関色温度（調色段数ＤＣｎ）に基づいて調色制御をするとき、ＬＥＤ（第１ＬＥＤ１１および第２ＬＥＤ１２）に供給する電流値（第１駆動電流Ｉｄｗ、第２駆動電流Ｉｄｃ）について、予め特定された特定電流値Ｉｕを境界として特定電流値Ｉｕより小さい電流を供給するときは、特定電流値Ｉｕを有する直流電流にパルス幅変調を施して駆動電流（第１駆動電流Ｉｄｗ、第２駆動電流Ｉｄｃ）とし、特定電流値Ｉｕ以上の電流を供給するときは直流電流を供給することから、特定電流値Ｉｕより小さい電流範囲での駆動においてもＬＥＤの発光特性（ばらつき）による影響を抑制して明るさおよび相関色温度を安定的に調整することが可能となり、広い範囲での調光制御および調色制御を高精度にかつ効果的に行うことができる。つまり、深調光が可能となる。
【００３５】
第１相関色温度ＣＴ１は例えば暖色系（第１相関色温度ＣＴ１＝２６００Ｋ）であり、第２相関色温度ＣＴ２は例えば寒色系（第２相関色温度ＣＴ２＝６５００Ｋ）であることが好ましい。この構成によって、照明装置１は、暖色から寒色までの広い範囲での調色を実行することができ、また、同一調色（同一相関色温度）を維持した状態での調光を実行することができるので幅広い調光制御および調色制御を違和感なく行うことができる。
【００３６】
特定電流値Ｉｕは、第１ＬＥＤ１１、第２ＬＥＤ１２を構成する個々のＬＥＤが有する発光特性（素子特性：素子定数）のばらつきに対して予め特定（選定）される。例えば、同一の直流電流（順方向電流）を流したときに、直流電流が小さい低電流領域の範囲（特定電流値Ｉｕより小さい範囲）では、発光特性のばらつきが直接的に発光状態として顕在化することから、ＬＥＤの発光状態のばらつきが視認できる状態となり、不安定な発光状態となることが知見された。つまり、例えば同一の順方向電流を流した場合であっても、発光状態が大きく異なり安定した照明装置を実現することが困難である。
【００３７】
なお、特定電流値Ｉｕとしては、最大定格電流（図４で、調光率（あるいはＰＯＷＥＲ）が例えば１００％の場合での電流）に対して例えば２％ないし５％程度の電流を指定することができる。この程度の電流値になると、ＬＥＤの発光状態（素子特性）のばらつきがそのまま発光状態のばらつきとして表れる。
【００３８】
本実施の形態では、特定電流値Ｉｕを例えば２％ないし５％の範囲内として特定し、指定された調光段数ＬＣｍ、第２駆動電流Ｉｄｃの電流値として特定電流値Ｉｕより小さい電流を流す必要があるときは、特定電流値Ｉｕに対してＰＷＭを施して特定電流値Ｉｕより小さい電流値を実現すことから、ＬＥＤ（第１ＬＥＤ１１、第２ＬＥＤ１２）に対して供給される駆動電流（第１駆動電流Ｉｄｗ、第２駆動電流Ｉｄｃ）は、直流値のレベルで特定電流値Ｉｕを確保することができる。
【００３９】
つまり、どのように小さい第１駆動電流Ｉｄｗ、第２駆動電流Ｉｄｃであっても、特定電流値Ｉｕに対するＰＷＭを施すことによって形成し、流される電流の直流レベル（ハイレベル（Ｈレベル））を特定電流値Ｉｕとして確保し、安定した直流電流の下限値としての特定電流値Ｉｕを供給するので、低電流領域での駆動であっても違和感の生じない安定した点灯状態を実現することができる。なお、特定電流値Ｉｕの作用、効果については、実施の形態２（図４以下）で更に説明する。
【００４０】
上述したとおり、特定電流値Ｉｕより小さい電流（第１駆動電流Ｉｄｗ、第２駆動電流Ｉｄｃ）は、特定電流値Ｉｕと等しい直流電流をパルス幅変調することによって形成される。したがって、特定電流値Ｉｕより小さい電流がＬＥＤに供給される場合、ＬＥＤがオン状態（ＰＷＭでのハイレベル（Ｈ）に相当する周期）では、特定電流値Ｉｕをそのまま確保していることから、ＬＥＤのばらつきによる影響を抑制することができ、ＬＥＤがオフ状態（ＰＷＭでのローレベル（Ｌ）に相当する周期）では、電流値は零であることから、ＬＥＤのばらつきによる影響は存在しない。したがって、特定電流値Ｉｕより小さい電流で駆動する場合でも、実質的に特定電流値Ｉｕより小さい電流が流れることは無いので、安定した点灯状態を確保することができる。
【００４１】
上述したとおり、本実施の形態では、特定電流値Ｉｕは、第１ＬＥＤ１１の発光特性および第２ＬＥＤ１２の発光特性に基づいて予め特定されている。すなわち、照明装置１は、第１ＬＥＤ１１および第２ＬＥＤ１２の発光特性に基づいて、特定電流値Ｉｕが特定されていることから、特定電流値ＩｕをＨレベルとする直流電流に対するＰＷＭを施した電流で第１ＬＥＤ１１および第２ＬＥＤ１２を駆動（制御）するので、第１ＬＥＤ１１（複数の第１ＬＥＤ１１）および第２ＬＥＤ１２（複数の第２ＬＥＤ１２）の発光特性が低電流領域（特定電流値Ｉｕより小さい電流領域）でばらついている場合でも、安定した高精度の明るさ制御（調光制御）および相関色温度制御（調色制御）を実現して幅広い安定した調光、調色を行うことができる。
【００４２】
明るさおよび相関色温度は、例えば、指定信号送信部としてのリモートコントローラ３０からの指定信号入力部２１に対する入力によって指定される。指定信号とは、明るさについては、調光段数ＬＣｍ（ｍ＝１〜１０）を指定する信号であり、相関色温度については、調色段数ＤＣｎ（ｎ＝１〜１０）を指定する信号である。本実施の形態では、ｍ＝１（調光段数ＬＣ１）のとき、例えば１００％の調光状態となり、ｍ＝１０（調光段数ＬＣ１０）のとき、例えば１０％の調光状態となる（図４参照）。また、ｎ＝１（調色段数ＤＣ１）のとき、合成した相関色温度ＣＣＴは、例えば第１相関色温度ＣＴ１（２７００Ｋ）であり、ｎ＝１０（調色段数ＤＣ１０）のとき、合成した相関色温度ＣＣＴは、例えば第２相関色温度ＣＴ２（６５００Ｋ）である（図４参照）。
【００４３】
なお、リモートコントローラ３０を介して指定信号を入力することを例示したが、直接指定信号入力部２１に入力される形態であっても良い。
【００４４】
リモートコントローラ３０から指定信号入力部２１に入力された指定信号は、転送先の指定信号判定部２２で判定され、調光段数ＬＣｍの段数（ｍの値）、調色段数ＤＣｎの段数（ｎの値）が判定（抽出）される。駆動制御部２３は、指定信号判定部２２で判定された調光段数ＬＣｍおよび調色段数ＤＣｎに対応する第１駆動電流Ｉｄｗ、第２駆動電流Ｉｄｃをデータ記憶部２４から抽出する。
【００４５】
データ記憶部２４は、制御対象としての明るさ（調光段数ＬＣｍ）および相関色温度（調色段数ＤＣｎ）に対応させて予め規定された第１駆動電流Ｉｄｗおよび第２駆動電流Ｉｄｃを特性一覧表（図４参照）として記憶している。つまり、データ記憶部２４は、指定信号（調光段数ＬＣｍ、調色段数ＤＣｎ）対電流データ（第１駆動電流Ｉｄｗの電流値、第２駆動電流Ｉｄｃの電流値）の関係を特性一覧表として保有している。
【００４６】
また、データ記憶部２４は、併せて特定電流値Ｉｕの値も記憶している。データ記憶部２４は、例えばフラッシュメモリで形成されている。また、電流値は、適宜の代替信号に置き換えて記憶されても良い。
【００４７】
上述したとおり、照明装置１では、明るさ（調光段数ＬＣｍ）および相関色温度（調色段数ＤＣｎ）に対応させて予め規定されている第１駆動電流Ｉｄｗの電流値および第２駆動電流Ｉｄｃの電流値は、特性一覧表としてデータ記憶部２４に記憶されている。
【００４８】
したがって、照明装置１は、明るさおよび相関色温度に対応する第１駆動電流Ｉｄｗおよび第２駆動電流Ｉｄｃの値を特性一覧表（特性データ）としてデータ記憶部２４に記憶されていることから、容易にかつ高精度に調光制御および調色制御を行うことができる。
【００４９】
また、例えばＣＰＵ（中央演算処理装置）で構成される制御部２０は、リモートコントローラ３０との連携を行う。また、制御部２０は、バス２０ｂを介して指定信号入力部２１、指定信号判定部２２、駆動制御部２３、データ記憶部２４の動作を制御する。指定信号入力部２１、指定信号判定部２２、駆動制御部２３、データ記憶部２４に求められる動作が予めプログラムとして書き込まれており、制御部２０は、書き込まれたプログラムに基づいて指定信号入力部２１、指定信号判定部２２、駆動制御部２３、データ記憶部２４を制御する。
【００５０】
図２は、図１に示した照明装置１における基本的な動作フローを示すフロー図である。
【００５１】
照明装置１は、指定信号（調光段数ＬＣｍ、調色段数ＤＣｎ）が入力されたとき、指定信号の内容を判定し、指定信号に応じた第１駆動電流Ｉｄｗ、第２駆動電流Ｉｄｃに対応する電流値データをデータ記憶部２４から読み出す（抽出する）。次いで、読み出した第１駆動電流Ｉｄｗ、第２駆動電流Ｉｄｃの電流値が特定電流値Ｉｕより大きいか否かを判断する。第１駆動電流Ｉｄｗ、あるいは第２駆動電流Ｉｄｃが特定電流値Ｉｕより小さい電流である場合は、第１ＬＥＤ１１および第２ＬＥＤ１２に対する直流電流による駆動をＰＷＭによる駆動に変更して第１ＬＥＤ１１または第２ＬＥＤ１２を駆動する。具体的には、以上の動作を、次のステップＳ２からステップＳ１２によって実行する。
【００５２】
ステップＳ２：
指定信号入力部２１は、リモートコントローラ３０からの指定信号（明るさについての調光段数ＬＣｍ、相関色温度についての調色段数ＤＣｎ）の入力状況に基づいて指定の有無を判定する。
【００５３】
指定がある場合（ステップＳ２：ＹＥＳ）は、ステップＳ４へ移行する。指定が無い場合（ステップＳ２：ＮＯ）は、元へ戻る。
【００５４】
ステップＳ４：
指定信号判定部２２は、指定内容（指定段数、つまり、調光段数ＬＣｍ、調色段数ＤＣｎ）を判定する。すなわち、調光段数ＬＣｍでのｍの値、調色段数ＤＣｎでのｎの値を判定（抽出）する。調光段数ＬＣｍおよび調色段数ＤＣｎについての判定結果（ｍの値、ｎの値）は、駆動制御部２３に伝達される。
【００５５】
ステップＳ６：
駆動制御部２３は、ステップＳ４における判定結果に基づいて、指定信号対電流データに関する特性一覧表（データ記憶部２４）から、指定信号（調光段数ＬＣｍでのｍ、調色段数ＤＣｎでのｎ）に対応する第１駆動電流Ｉｄｗおよび第２駆動電流Ｉｄｃの電流値データを抽出する（図４参照）。
【００５６】
つまり、駆動制御部２３は、調光段数ＬＣｍ、調色段数ＤＣｎに対応する第１駆動電流Ｉｄｗの電流値および第２駆動電流Ｉｄｃの電流値をデータ記憶部２４から読み出す。
【００５７】
ステップＳ８：
駆動制御部２３は、抽出した第１駆動電流Ｉｄｗまたは第２駆動電流Ｉｄｃが特定電流値Ｉｕより小さいか否かを判定する。
【００５８】
第１駆動電流Ｉｄｗまたは第２駆動電流Ｉｄｃの電流値が特定電流値Ｉｕより小さい場合（ステップＳ８：ＹＥＳ）は、ステップＳ１０へ移行する。また、特定電流値Ｉｕより大きい場合（ステップＳ８：ＮＯ）は、ステップＳ１２へ移行する。
【００５９】
ステップＳ１０：
駆動制御部２３は、特定電流値Ｉｕより小さい第１駆動電流Ｉｄｗまたは第２駆動電流Ｉｄｃについて、特定電流値Ｉｕに等しい直流電流にパルス幅変調を施し対応する第１駆動電流Ｉｄｗまたは第２駆動電流Ｉｄｃを生成する。なお、第１駆動電流Ｉｄｗまたは第２駆動電流Ｉｄｃの生成は、駆動制御部２３からの信号（指示）に基づいて第１駆動回路１３または第２駆動回路１４によって実行される。
【００６０】
つまり、特定電流値Ｉｕに対してＰＷＭを施すことによって、第１ＬＥＤ１１または第２ＬＥＤ１２に供給される電流の直流値（デューティー比が１００％のときの電流値。つまり、Ｈレベル（ハイレベル）での電流値）は特定電流値Ｉｕを保持するので第１ＬＥＤ１１または第２ＬＥＤ１２は実質上正常な動作を確保することができることから、安定した点灯状態を維持する。また、予め規定された第１駆動電流Ｉｄｗまたは第２駆動電流Ｉｄｃは、特定電流値Ｉｕに対するＰＷＭのデューティー比によって特定電流値Ｉｕより小さい値に等しく制御される。
【００６１】
例えば、特定電流値Ｉｕが５ｍＡであると特定した場合、第１駆動電流Ｉｄｗとして４ｍＡが規定されていたとき、ＰＷＭは、（５ｍＡ×８０％）／１００％＝４ｍＡであるから、直流電流としての値が５ｍＡ（デューティー比１００％での電流値）であり、デューティー比は８０％として駆動される。具体例については、実施の形態２（図４）で更に説明する。
【００６２】
ＰＭＷを施された第１駆動電流Ｉｄｗまたは第２駆動電流Ｉｄｃは、第１駆動回路１３または第２駆動回路１４から対応する第１ＬＥＤ１１または第２ＬＥＤ１２へ供給される。
【００６３】
ステップＳ１２：
駆動制御部２３は、第１駆動電流Ｉｄｗまたは第２駆動電流Ｉｄｃに対応する直流電流を生成する。なお、直流電流としての第１駆動電流Ｉｄｗまたは第２駆動電流Ｉｄｃの生成は、駆動制御部２３からの信号（指示）に基づいて第１駆動回路１３または第２駆動回路１４によって実行される。第１駆動回路１３および第２駆動回路１４の回路動作については、図３で更に説明する。
【００６４】
つまり、直流電流の第１駆動電流Ｉｄｗまたは第２駆動電流Ｉｄｃは、第１駆動回路１３または第２駆動回路１４から対応する第１ＬＥＤ１１または第２ＬＥＤ１２へ供給される。
【００６５】
図３を参照して駆動制御部２３、第１駆動回路１３、第２駆動回路１４の動作について説明する。
【００６６】
図３は、図１に示した照明装置１における第１駆動回路１３、第２駆動回路１４、第１ＬＥＤ１１、第２ＬＥＤ１２の相互関係を具体的に示す回路図である。
【００６７】
なお、第１駆動回路１３および第２駆動回路１４は、駆動制御部２３によって制御されるので、併せて駆動制御部２３についても更に説明する。
【００６８】
第１ＬＥＤ１１および第２ＬＥＤ１２は、直流電源ＰＳ１と基準電位線ＢＳとの間に並列に接続され、第１ＬＥＤ１１には第１駆動電流Ｉｄｗを流すように第１駆動回路１３が直列に接続され、第２ＬＥＤ１２には第２駆動電流Ｉｄｃを流すように第２駆動回路１４が直列に接続されている。
【００６９】
第１ＬＥＤ１１および第２ＬＥＤ１２は、それぞれ同一仕様の複数のＬＥＤが直列接続されている。また、更に並列接続されても良い。例えば、第１ＬＥＤ１１、第２ＬＥＤ１２は、それぞれ同一仕様のＬＥＤを２０直列×４並列（合計で８０個のＬＥＤを実装）の接続状態とされることがある。つまり、上述したとおり、第１ＬＥＤ１１は、複数の同一仕様のＬＥＤを含む第１ＬＥＤ群であり、第２ＬＥＤ１２は、複数の同一仕様のＬＥＤを含む第２ＬＥＤ群である。
【００７０】
第１駆動回路１３は、第１参照電圧Ｖｒｅｆ１を生成する第１参照電圧源ＶＳ１と、第１参照電圧Ｖｒｅｆ１が入力される第１非反転入力端子Ｔｉｎ１を有する第１演算増幅器ＯＰ１と、第１演算増幅器ＯＰ１の出力によってオンオフ制御される第１スイッチング素子Ｑ１１と、第１スイッチング素子Ｑ１１と基準電位線ＢＳとの間に接続された第１電流検出素子Ｒ１とを備え、第１電流検出素子Ｒ１と第１スイッチング素子Ｑ１１との接続点の電位は第１演算増幅器ＯＰ１の第１反転入力端子Ｔｉｎ２に入力されている。この構成によって、第１駆動回路１３は、第１参照電圧Ｖｒｅｆ１に応じた定電流（第１駆動電流Ｉｄｗ）を第１スイッチング素子Ｑ１１に流すことが可能となり、第１ＬＥＤ１１を定電流で駆動する。
【００７１】
第２駆動回路１４は、第２参照電圧Ｖｒｅｆ２を生成する第２参照電圧源ＶＳ２と、第２参照電圧Ｖｒｅｆ２が入力される第２非反転入力端子Ｔｉｎ３を有する第２演算増幅器ＯＰ２と、第２演算増幅器ＯＰ２の出力によってオンオフ制御される第２スイッチング素子Ｑ２１と、第２スイッチング素子Ｑ２１と基準電位線ＢＳとの間に接続された第２電流検出素子Ｒ２とを備え、第２電流検出素子Ｒ２と第２スイッチング素子Ｑ２１との接続点の電位は第２演算増幅器ＯＰ２の第２反転入力端子Ｔｉｎ４に入力されている。この構成によって、第２駆動回路１４は、第２参照電圧Ｖｒｅｆ２に応じた定電流（第２駆動電流Ｉｄｃ）を第２スイッチング素子Ｑ２１に流すことが可能となり、第２ＬＥＤ１２を定電流で駆動する。
【００７２】
第１スイッチング素子Ｑ１１、第２スイッチング素子Ｑ２１は、ＭＯＳＦＥＴで構成され、第１電流検出素子Ｒ１、第２電流検出素子Ｒ２は、抵抗で構成されている。
【００７３】
上述したとおり、照明装置１では、第１ＬＥＤ１１および第２ＬＥＤ１２は、直流電源ＰＳ１と基準電位線ＢＳとの間に並列に接続されている。
【００７４】
また、照明装置１では、第１駆動回路１３は、一端が基準電位線ＢＳに接続された第１電流検出素子Ｒ１と、第１電流検出素子Ｒ１の他端と第１ＬＥＤ１１との間に接続された第１スイッチング素子Ｑ１１と、第１非反転入力端子Ｔｉｎ１と第１反転入力端子Ｔｉｎ２を有して第１スイッチング素子Ｑ１１のオンオフを制御する第１演算増幅器ＯＰ１と、第１非反転入力端子Ｔｉｎ１に第１参照電圧Ｖｒｅｆ１を入力する第１参照電圧源ＶＳ１とを備え、第１電流検出素子Ｒ１と第１スイッチング素子Ｑ１１との接続点の電位は第１演算増幅器ＯＰ１の第１反転入力端子Ｔｉｎ２に入力されている。
【００７５】
また、照明装置１では、第２駆動回路１４は、一端が基準電位線ＢＳに接続された第２電流検出素子Ｒ２と、第２電流検出素子Ｒ２の他端と第２ＬＥＤ１２との間に接続された第２スイッチング素子Ｑ２１と、第２非反転入力端子Ｔｉｎ３と第２反転入力端子Ｔｉｎ４を有して第２スイッチング素子Ｑ２１のオンオフを制御する第２演算増幅器ＯＰ２と、第２非反転入力端子Ｔｉｎ３に第２参照電圧Ｖｒｅｆ２を入力する第２参照電圧源ＶＳ２とを備え、第２電流検出素子Ｒ２と第２スイッチング素子Ｑ２１との接続点の電位は第２演算増幅器ＯＰ２の第２反転入力端子Ｔｉｎ４に入力されている。
【００７６】
したがって、照明装置１は、第１参照電圧Ｖｒｅｆ１に応じた定電流（第１駆動電流Ｉｄｗ）を第１駆動回路１３から第１ＬＥＤ１１に供給し、第２参照電圧Ｖｒｅｆ２に応じた定電流（第２駆動電流Ｉｄｃ）を第２駆動回路１４から第２ＬＥＤ１２に供給することから、第１駆動回路１３および第２駆動回路１４を定電流回路として機能させるので、第１ＬＥＤ１１および第２ＬＥＤ１２に対する調光制御および調色制御を高精度に実現できる。
【００７７】
なお、駆動制御部２３（図１参照）は、第１ＬＥＤ１１に供給する第１駆動電流Ｉｄｗに対応させて第１参照電圧源ＶＳ１の第１参照電圧Ｖｒｅｆ１を制御し、第２ＬＥＤ１２に供給する第２駆動電流Ｉｄｃに対応させて第２参照電圧源ＶＳ２の第２参照電圧Ｖｒｅｆ２を制御する。
【００７８】
つまり、照明装置１は、駆動制御部２３によって第１駆動電流Ｉｄｗに対応させて第１参照電圧Ｖｒｅｆ１を調整し、駆動制御部２３によって第２駆動電流Ｉｄｃに対応させて第２参照電圧Ｖｒｅｆ２を調整することから、調光制御（調光段数ＬＣｍ）および調色制御（調色段数ＤＣｎ）に応じた第１駆動電流Ｉｄｗおよび第２駆動電流Ｉｄｃを容易に発生し、また、特定電流値Ｉｕに対応する第１駆動電流Ｉｄｗおよび第２駆動電流Ｉｄｃを容易に発生することができる。
【００７９】
なお、第１参照電圧Ｖｒｅｆ１は、第１電流検出素子Ｒ１での電圧降下に等しいことから、第１参照電圧Ｖｒｅｆ１＝（第１電流検出素子Ｒ１の抵抗値ｒ１）×第１駆動電流Ｉｄｗとなるので、第１参照電圧Ｖｒｅｆ１を調整することによって、第１駆動電流Ｉｄｗを調整することができる、また、第２参照電圧Ｖｒｅｆ２と第２電流検出素子Ｒ２の抵抗値ｒ２、第２駆動電流Ｉｄｃとの関係も同様であり、第２参照電圧Ｖｒｅｆ２を調整することによって第２駆動電流Ｉｄｃを調整することができる。
【００８０】
第１駆動電流Ｉｄｗ、第２駆動電流Ｉｄｃに対するＰＷＭを施すために、第１駆動回路１３には、第３スイッチング素子Ｑ１２が接続され、第２駆動回路１４には、第４スイッチング素子Ｑ２２が接続されている。つまり、基準電位線ＢＳと第１非反転入力端子Ｔｉｎ１（第１演算増幅器ＯＰ１）との間に第３スイッチング素子Ｑ１２が接続され、基準電位線ＢＳと第２非反転入力端子Ｔｉｎ３（第２演算増幅器ＯＰ２）との間に第４スイッチング素子Ｑ２２が接続されている。
【００８１】
第３スイッチング素子Ｑ１２、第４スイッチング素子Ｑ２２の入力端子には、駆動制御部２３によってデューティー比を調整された変調パルスＰｍ１、変調パルスＰｍ２が入力され、第１演算増幅器ＯＰ１の第１非反転入力端子Ｔｉｎ１への入力である第１参照電圧Ｖｒｅｆ１のオンオフを行い、第２演算増幅器ＯＰ２の第２非反転入力端子Ｔｉｎ３への入力である第２参照電圧Ｖｒｅｆ２のオンオフを行う。また、第３スイッチング素子Ｑ１２、第４スイッチング素子Ｑ２２は、バイポーラトランジスタ（ＢＰＴ）で構成される。
【００８２】
第３スイッチング素子Ｑ１２および第４スイッチング素子Ｑ２２の動作によって、第１駆動電流Ｉｄｗは、変調パルスＰｍ１に応じたオンオフ制御（ＰＷＭ）を施され、第２駆動電流Ｉｄｃは、変調パルスＰｍ２に応じたオンオフ制御（ＰＷＭ）を施される。つまり、第３スイッチング素子Ｑ１２、第４スイッチング素子Ｑ２２は、第１参照電圧Ｖｒｅｆ１、第２参照電圧Ｖｒｅｆ２によって第１駆動電流Ｉｄｗ、第２駆動電流Ｉｄｃの直流電流（Ｈレベルの電流値）を特定電流値Ｉｕに維持した状態で、第１駆動電流Ｉｄｗ、第２駆動電流Ｉｄｃに対するＰＷＭを施す。第１駆動回路１３、第２駆動回路１４は、変調パルスＰｍ１、変調パルスＰｍ２のデューティー比を調整することによって、指定された第１駆動電流Ｉｄｗ、第２駆動電流Ｉｄｃを生成して、第１ＬＥＤ１１、第２ＬＥＤ１２へ供給する。
【００８３】
つまり、照明装置１（第１駆動回路１３、第２駆動回路１４）は、基準電位線ＢＳと第１演算増幅器ＯＰ１の第１非反転入力端子Ｔｉｎ１との間に接続された第３スイッチング素子Ｑ１２と、基準電位線ＢＳと第２演算増幅器ＯＰ２の第２非反転入力端子Ｔｉｎ３との間に接続された第４スイッチング素子Ｑ２２とを備える。
【００８４】
したがって、第３スイッチング素子Ｑ１２をオンオフさせて第１演算増幅器ＯＰ１の第１非反転入力端子Ｔｉｎ１への入力をオンオフすることから、特定電流値Ｉｕに対するパルス幅変調を容易にかつ確実に実行してパルス幅変調を施した第１駆動電流Ｉｄｗを第１ＬＥＤ１１に供給し、また、第４スイッチング素子Ｑ２２をオンオフさせて第２演算増幅器ＯＰ２の第２非反転入力端子Ｔｉｎ３への入力をオンオフすることから、特定電流値Ｉｕに対するパルス幅変調を容易にかつ確実に実行してＰＷＭを施した第２駆動電流Ｉｄｃを第２ＬＥＤ１２に供給する。
【００８５】
つまり、Ｈレベルが特定電流値Ｉｕを維持した状態で、ＰＷＭによって特定電流値Ｉｕより小さい予め規定された電流値である第１駆動電流Ｉｄｗ、第２駆動電流Ｉｄｃを第１ＬＥＤ１１、第２ＬＥＤ１２に供給することができる。
【００８６】
第１参照電圧源ＶＳ１が発生する第１参照電圧Ｖｒｅｆ１は、第１駆動電流Ｉｄｗが予め規定された電流値となるように駆動制御部２３によって調整される。また、第２参照電圧源ＶＳ２が発生する第２参照電圧Ｖｒｅｆ２は、第２駆動電流Ｉｄｃが予め規定された電流値となるように駆動制御部２３によって調整される。
【００８７】
なお、ＰＷＭを施すときは、第１参照電圧Ｖｒｅｆ１、第２参照電圧Ｖｒｅｆ２は、ＰＷＭによって得られる第１駆動電流Ｉｄｗ、第２駆動電流Ｉｄｃの電流値の直流部分（Ｈレベルの電流値）が特定電流値Ｉｕとなるように固定される。
【００８８】
なお、第１ＬＥＤ１１および第２ＬＥＤ１２とも発光状態においては、それぞれの指向性があり、実際に照明装置として作用させるときは、第１ＬＥＤ１１および第２ＬＥＤ１２の前面に発光した光を混光するための光学的拡散部材を配置しておくことが好ましい。
【００８９】
以上、本実施の形態に係る照明装置１について説明した。なお、照明装置１は、第１ＬＥＤ１１および第２ＬＥＤ１２が組み合わされる前の状態では、ＬＥＤ点灯装置に係る発明となる。具体的には次のとおりである。
【００９０】
本発明に係るＬＥＤ点灯装置は、第１相関色温度ＣＴ１で発光する第１ＬＥＤ１１に第１駆動電流Ｉｄｗを供給する第１駆動回路１３と、第２相関色温度ＣＴ２で発光する第２ＬＥＤ１２に第２駆動電流Ｉｄｃを供給する第２駆動回路１４と、第１駆動回路１３および第２駆動回路１４を制御する駆動制御部２３とを備える。
【００９１】
本発明に係るＬＥＤ点灯装置においては、第１駆動電流Ｉｄｗの電流値および第２駆動電流Ｉｄｃの電流値は、制御対象である明るさおよび相関色温度に対応させて予め規定されてあり、明るさおよび相関色温度が指定された場合に、指定された明るさおよび相関色温度に対応する第１駆動電流Ｉｄｗの電流値が、予め特定された特定電流値Ｉｕより小さいとき、第１駆動回路１３は、特定電流値Ｉｕに等しい直流電流にパルス幅変調を施して指定された明るさおよび相関色温度に対応する第１駆動電流Ｉｄｗを生成して第１ＬＥＤ１１に供給し、指定された明るさおよび相関色温度に対応する第１駆動電流Ｉｄｗの電流値が、特定電流値Ｉｕより大きいとき、第１駆動回路１３は、指定された明るさおよび相関色温度に対応する直流電流の第１駆動電流Ｉｄｗを生成して第１ＬＥＤ１１に供給し、指定された明るさおよび相関色温度に対応する第２駆動電流Ｉｄｃの電流値が、予め特定された特定電流値Ｉｕより小さいとき、第２駆動回路１４は、特定電流値Ｉｕに等しい直流電流にパルス幅変調を施して指定された明るさおよび相関色温度に対応する第２駆動電流Ｉｄｃを生成して第２ＬＥＤ１２に供給し、指定された明るさおよび相関色温度に対応する第２駆動電流Ｉｄｃの電流値が、特定電流値Ｉｕより大きいとき、第２駆動回路１４は、指定された明るさおよび相関色温度に対応する直流電流の第２駆動電流Ｉｄｃを生成して第２ＬＥＤ１２に供給する構成とされている。
【００９２】
＜実施の形態２＞
図４ないし図５Ｆ、図６ないし図７Ｄを参照して、本実施の形態に係る照明装置１の調光制御、調色制御による調光状態、調色状態、および作用効果について説明する。なお、本実施の形態に係る照明装置１は、実施の形態１に係る照明装置１であるので、適宜符号を援用し、主に追加の説明について記載する。また、上述したとおり、第１ＬＥＤ１１が発光する相関色温度（第１相関色温度）は、２７００Ｋ（ケルビン）であり、第２ＬＥＤ１２が発光する相関色温度（第２相関色温度）は、６５００Ｋ（ケルビン）である。また、特定電流値Ｉｕは、第１ＬＥＤ１１、第２ＬＥＤ１２とも例えば２ｍＡの場合について例示する。
【００９３】
また、第１ＬＥＤ１１（第１ＬＥＤ群）および第２ＬＥＤ１２（第２ＬＥＤ群）では、ＬＥＤの個数および発光効率が等しいとし、混光後の相関色温度ＣＣＴは、加重平均となることとして演算した。また、説明を簡単にするため、第１駆動電流Ｉｄｗ、第２駆動電流Ｉｄｃの定格最大値を１００ｍＡとしている。
【００９４】
図４は、本発明の実施の形態２に係る照明装置１での調光段数ＬＣｍ、調色段数ＤＣｎ、第１駆動電流Ｉｄｗ、第２駆動電流Ｉｄｃ、調色相関色温度ＣＣＴの相関を示す図表である。
【００９５】
図表の縦方向に、調光段数ＬＣｍ（調光段数ＬＣ１〜調光段数ＬＣ１０の１０段）、横方向に、調色段数ＤＣｎ（調色段数ＤＣ１〜調色段数ＤＣ１０の１０段）を示し、調光段数ＬＣｍおよび調色段数ＤＣｎに対応させて第１駆動電流Ｉｄｗ、第２駆動電流Ｉｄｃを規定している。
【００９６】
本実施の形態では、調光段数ＬＣｍは、１００％から０％までが例えば１０％単位でリニアに制御されている。また、調色段数ＤＣｎは、調色段数ＤＣ１の第１相関色温度ＣＴ１（２７００Ｋ）から調色段数ＤＣ１０の第２相関色温度ＣＴ２（６５００Ｋ）までをリニアに制御している。なお、調光制御の最小値は０％とされ、第１ＬＥＤ１１または第２ＬＥＤ１２のいずれか一方が完全に消灯される態様を含む制御形態となっている。
【００９７】
調光段数ＬＣｍでは、調光率（％）、つまり、明るさが制御される。調光段数ＬＣ１の調光率は１００％（最大定格の明るさ）、以下、１０％ごとで減光させて、調光段数ＬＣ１０の調光率は１０％（最大定格の明るさの１０％）となる。なお、供給電力ＰＯＷＥＲ（任意単位）は、調光率に一致させてある。
【００９８】
また、調色段数ＤＣｎでは、調色相関色温度ＣＣＴ（Ｋ）、つまり、相関色温度が制御される。調色段数ＤＣ１の調色相関色温度ＣＣＴは、第１ＬＥＤ１１のみの点灯であるから、調色相関色温度ＣＣＴは第１相関色温度ＣＴ１（２７００Ｋ）であり、調色段数ＤＣ１０の調色相関色温度ＣＣＴは、第２ＬＥＤ１２のみの点灯であるから、調色相関色温度ＣＣＴは第２相関色温度ＣＴ２（６５００Ｋ）である。
【００９９】
調色段数ＤＣｎと調色相関色温度ＣＣＴとの関係を更に説明する。例えば、調色段数ＤＣ２の調色相関色温度ＣＣＴは、３１２２Ｋである。なお、調色段数ＤＣｎでの調色相関色温度ＣＣＴ（混色相関色温度）は、第１駆動電流Ｉｄｗおよび第２駆動電流Ｉｄｃの加重平均で求められる。例えば、調光段数ＬＣ２、調色段数ＤＣ２では、第１駆動電流Ｉｄｗ＝８０ｍＡ、第２駆動電流Ｉｄｃ＝１０ｍＡとされている。したがって、調色相関色温度ＣＣＴは、（２７００×８０＋６５００×１０）／（８０＋１０）＝２８１００／９０＝３１２２Ｋとなる。つまり、調色相関色温度ＣＣＴは、第１駆動電流Ｉｄｗと第２駆動電流Ｉｄｃとの比率の制御によって制御されている。
【０１００】
なお、データ記憶部２４は、調光段数ＬＣｍ、調色段数ＤＣｎに対応させて第１駆動電流Ｉｄｗ（電流値）、第２駆動電流Ｉｄｃ（電流値）を記憶している。したがって、調光段数ＬＣｍおよび調色段数ＤＣｎが指定されたとき、駆動制御部２３は、データ記憶部２４から対応する第１駆動電流Ｉｄｗおよび第２駆動電流Ｉｄｃを読み出して第１駆動回路１３および第２駆動回路１４を制御する。
【０１０１】
本実施の形態では、例えば、調光段数ＬＣ１０、調色段数ＤＣ２に対応する調光、調色が指定された場合、第１駆動電流Ｉｄｗ＝８．８９ｍＡ、第２駆動電流Ｉｄｃ＝１．１１ｍＡが予め規定されている。第２駆動電流Ｉｄｃ（第２駆動電流Ｉｄｃｕ）＝１．１１ｍＡは、特定電流値Ｉｕ（２ｍＡ）より小さい。したがって、第２駆動電流Ｉｄｃｕを直流電流として第２ＬＥＤ１２に供給すると発光状態が正常に制御できない状態となる。具体的には、調色相関色温度ＣＣＴが調色段数ＤＣ２での値３１２２Ｋに対して大きく変化するという現象が知見された。
【０１０２】
したがって、本実施の形態では、第２駆動電流Ｉｄｃｕ（１．１１ｍＡ）は、特定電流値Ｉｕ（２ｍＡ）に対するＰＷＭを施すことによって供給される。具体的には、（１．１１ｍＡ／２ｍＡ）×１００（％）＝５５．５％のデューティー比を採用し、直流電流２ｍＡに対して０．５５５のＰＷＭを施した第２駆動電流Ｉｄｃｕを第２ＬＥＤ１２に供給する。
【０１０３】
また、調色段数ＤＣ１０、調色段数ＤＣ９に対応する調光、調色が指定された場合、第１駆動電流Ｉｄｗ＝１．１１ｍＡ、第２駆動電流Ｉｄｃ＝８．８９ｍＡが予め規定されている。第１駆動電流Ｉｄｗ（第１駆動電流Ｉｄｗｕ）＝１．１１ｍＡは、特定電流値Ｉｕ（２ｍＡ）より小さい。したがって、第１駆動電流Ｉｄｗｕを直流電流として第１ＬＥＤ１１に供給すると発光状態が正常に制御できない状態となる。具体的には、調色相関色温度ＣＣＴが調色段数ＤＣ９での値６０７８Ｋに対して大きく変化するという現象が知見された。
【０１０４】
したがって、本実施の形態では、第１駆動電流Ｉｄｗｕ（１．１１ｍＡ）は、特定電流値Ｉｕ（２ｍＡ）に対するＰＷＭを施すことによって供給される。具体的には、（１．１１ｍＡ／２ｍＡ）×１００（％）＝５５．５％のデューティー比を採用し、直流電流２ｍＡに対して０．５５５のＰＷＭを施した第２駆動電流Ｉｄｗｕを第１ＬＥＤ１１に供給する。
【０１０５】
なお、第１駆動電流Ｉｄｗ、第２駆動電流Ｉｄｃは、次に示すとおり、調色段数ＤＣｎ、調光段数ＬＣｍの双方向において、例えばリニアに変更されている。
【０１０６】
例えば、図表の横方向（調色段数ＤＣｎ）において、第１駆動電流Ｉｄｗは、調色段数ＤＣ１から調色段数ＤＣ１０の間で９等分される。具体的には、次に示す調光段数ＬＣ２での値に典型的に表れている。
【０１０７】
調光段数ＬＣ２において、第１駆動電流Ｉｄｗは、調色段数ＤＣ１では９０ｍＡ、調色段数ＤＣ２では８０ｍＡ、・・・、調色段数ＤＣ５では５０ｍＡ、調色段数ＤＣ６では４０ｍＡ、・・・、調色段数ＤＣ９では１０ｍＡ、調色段数ＤＣ１０では０ｍＡがそれぞれ規定されている。また、第２駆動電流Ｉｄｃは、第１駆動電流Ｉｄｗと同様に９等分されるが、増減の推移状況は逆になる。つまり、第２駆動電流Ｉｄｃは、調色段数ＤＣ１では０ｍＡ、調色段数ＤＣ２では１０ｍＡ、・・・、調色段数ＤＣ５では４０ｍＡ、調色段数ＤＣ６では５０ｍＡ、・・・、調色段数ＤＣ９では８０ｍＡ、調色段数ＤＣ１０では９０ｍＡがそれぞれ規定されている。
【０１０８】
また、図表の縦方向（調光段数ＬＣｍ）においても、第１駆動電流Ｉｄｗ、第２駆動電流Ｉｄｃの規定の仕方は、同様であるので説明は省略する。
【０１０９】
図５Ａは、図４に示した第１駆動電流Ｉｄｗおよび第２駆動電流Ｉｄｃによって調光制御および調色制御を施したときの調色段数ＤＣ１での調光率（調光段数ＬＣｍ）対調色相関色温度ＣＣＴの状態を示すグラフである。
【０１１０】
調光制御の最小値が０％であることから、調色段数ＤＣ１では、第２ＬＥＤ１２が完全に消灯された状態である。したがって、調色相関色温度ＣＣＴは、調光段数ＬＣｍの全範囲（調光率１００％ないし調光率１０％）において第１相関色温度ＣＴ１（２７００Ｋ）が維持されている。
【０１１１】
図５Ｂは、図４に示した第１駆動電流Ｉｄｗおよび第２駆動電流Ｉｄｃによって調光制御および調色制御を施したときの調色段数ＤＣ２での調光率（調光段数ＬＣｍ）対調色相関色温度ＣＣＴの状態を示すグラフである。
【０１１２】
調色段数ＤＣ２では、第１相関色温度ＣＴ１、第２相関色温度ＣＴ２に対する第１駆動電流Ｉｄｗおよび第２駆動電流Ｉｄｃの加重平均によって求められた調色相関色温度ＣＣＴは、３１２２Ｋとなる。
【０１１３】
調色段数ＤＣ２においては、調光率１０％のとき、第２ＬＥＤ１２に供給される第２駆動電流Ｉｄｃは、特定電流値Ｉｕ（２ｍＡ）より小さい。しかし、特定電流値ＩｕにＰＷＭを施して第２駆動電流Ｉｄｃｕ（１．１１ｍＡ）を第２ＬＥＤ１２に供給していることから、調光段数ＬＣｍの全範囲（調光率１００％ないし調光率１０％）において調色相関色温度ＣＣＴ＝３１２２Ｋが維持されている。
【０１１４】
図５Ｃは、図４に示した第１駆動電流Ｉｄｗおよび第２駆動電流Ｉｄｃによって調光制御および調色制御を施したときの調色段数ＤＣ５での調光率（調光段数ＬＣｍ）対調色相関色温度ＣＣＴの状態を示すグラフである。
【０１１５】
調色段数ＤＣ５では、第１相関色温度ＣＴ１、第２相関色温度ＣＴ２に対する第１駆動電流Ｉｄｗおよび第２駆動電流Ｉｄｃの加重平均によって求められた調色相関色温度ＣＣＴは、４３８９Ｋとなる。
【０１１６】
調色段数ＤＣ５においては、調光率１０％のとき、第１ＬＥＤ１１に供給される第１駆動電流Ｉｄｗは、５．５６ｍＡであり、第２ＬＥＤ１２に供給される第２駆動電流Ｉｄｃは、４．４４ｍＡである。したがって、調色相関色温度ＣＣＴは、調光段数ＬＣｍの全範囲（調光率１００％ないし調光率１０％）において調色相関色温度ＣＣＴ＝４３８９Ｋが維持されている。
【０１１７】
図５Ｄは、図４に示した第１駆動電流Ｉｄｗおよび第２駆動電流Ｉｄｃによって調光制御および調色制御を施したときの調色段数ＤＣ６での調光率（調光段数ＬＣｍ）対調色相関色温度ＣＣＴの状態を示すグラフである。
【０１１８】
調色段数ＤＣ６では、第１相関色温度ＣＴ１、第２相関色温度ＣＴ２に対する第１駆動電流Ｉｄｗおよび第２駆動電流Ｉｄｃの加重平均によって求められた調色相関色温度ＣＣＴは、４８１１Ｋとなる。
【０１１９】
調色段数ＤＣ６においては、調光率１０％のとき、第１ＬＥＤ１１に供給される第１駆動電流Ｉｄｗは、４．４４ｍＡであり、第２ＬＥＤ１２に供給される第２駆動電流Ｉｄｃは、５．５６ｍＡである。したがって、調色相関色温度ＣＣＴは、調光段数ＬＣｍの全範囲（調光率１００％ないし調光率１０％）において調色相関色温度ＣＣＴ＝４８１１Ｋが維持されている。
【０１２０】
図５Ｅは、図４に示した第１駆動電流Ｉｄｗおよび第２駆動電流Ｉｄｃによって調光制御および調色制御を施したときの調色段数ＤＣ９での調光段数ＬＣｍ対調色相関色温度ＣＣＴの状態を示すグラフである。
【０１２１】
調色段数ＤＣ９では、第１相関色温度ＣＴ１、第２相関色温度ＣＴ２に対する第１駆動電流Ｉｄｗおよび第２駆動電流Ｉｄｃの加重平均によって求められた調色相関色温度ＣＣＴは、６０７８Ｋとなる。
【０１２２】
調色段数ＤＣ９においては、調光率１０％のとき、第１ＬＥＤ１１に供給される第１駆動電流Ｉｄｗは、特定電流値Ｉｕ（２ｍＡ）より小さい。しかし、特定電流値ＩｕにＰＷＭを施して第１駆動電流Ｉｄｗｕ（１．１１ｍＡ）を第１ＬＥＤ１１に供給していることから、調光段数ＬＣｍの全範囲（調光率１００％ないし調光率１０％）において調色相関色温度ＣＣＴ＝６０７８Ｋが維持されている。
【０１２３】
図５Ｆは、図４に示した第１駆動電流Ｉｄｗおよび第２駆動電流Ｉｄｃによって調光制御および調色制御を施したときの調色段数ＤＣ１０での調光段数ＬＣｍ対調色相関色温度ＣＣＴの状態を示すグラフである。
【０１２４】
調光制御の最小値が０％であることから、調色段数ＤＣ１０では、第１ＬＥＤ１１が完全に消灯された状態である。したがって、調色相関色温度ＣＣＴは、調光段数ＬＣｍの全範囲（調光率１００％ないし調光率１０％）において第２相関色温度ＣＴ２（６５００Ｋ）が維持されている。
【０１２５】
以上、図４、および図５Ａないし図５Ｆに示したとおり、、本実施の形態に係る照明装置１では、指定された明るさ（調光段数ＬＣｍ）に基づいて調光制御をするとき、または、指定された相関色温度（調色段数ＤＣｎ）に基づいて調色制御をするとき、ＬＥＤ（第１ＬＥＤおよび第２ＬＥＤ）に供給する電流値（第１駆動電流Ｉｄｗ、第２駆動電流Ｉｄｃ）について、予め特定された特定電流値Ｉｕを境界として特定電流値Ｉｕより小さい電流を供給するときは、特定電流値Ｉｕを有する直流電流にパルス幅変調（ＰＷＭ）を施して駆動電流（第１駆動電流Ｉｄｗ、第２駆動電流Ｉｄｃ）とし、特定電流値Ｉｕ以上の電流を供給するときは直流電流を供給することから、特定電流値Ｉｕより小さい電流範囲での駆動においてもＬＥＤの発光特性（ばらつき）による影響を抑制して明るさおよび相関色温度を安定的に調整することが可能となり、広い範囲での調光制御および調色制御を高精度にかつ効果的に行うことができる。つまり、本実施の形態に係る照明装置１によれば、明るさを制御した場合でも、相関色温度が変化することが無く、深調光が可能となる。
【０１２６】
次に比較例を図６、図７Ａないし図７Ｄに示す。本発明の実施の形態１に係る照明装置１に対して調光制御の最小値を例えば２％として設定した場合について、比較例として説明する。
【０１２７】
図６は、比較例として本発明の実施の形態１に係る照明装置１に対して調光制御の最小値を設定した場合における調光段数ＬＣｍ、調色段数ＤＣｎ、第１駆動電流Ｉｄｗ、第２駆動電流Ｉｄｃ、調色相関色温度ＣＣＴの相関を示す図表である。
【０１２８】
基本的な構成は、図４で示したとおりであるので、主に異なる事項について説明する。
【０１２９】
図６では、調光制御の最小値は２％とされ、第１ＬＥＤ１１または第２ＬＥＤ１２のいずれか小さい状態とされたＬＥＤが調色制御、調光制御の場合に最小値としての２％を確保して点灯される制御形態とされている。
【０１３０】
例えば、調色段数ＤＣ１において、図４に示した場合は、調光段数ＬＣ１では、第１駆動電流Ｉｄｗ＝１００ｍＡで、第２駆動電流Ｉｄｃ＝０ｍＡであった。これに対し、図６では、調色段数ＤＣ１において、調光段数ＬＣ１では、第１駆動電流Ｉｄｗ＝９８ｍＡ、第２駆動電流Ｉｄｃ＝２ｍＡ（調光制御の最小値）を維持している。
【０１３１】
したがって、調光制御、調色制御において、調光制御の最小値２％（２ｍＡ）による影響が生じる。具体的には、調色段数ＤＣ１において、調光段数ＬＣ１から調光段数ＬＣ１０までの第１駆動電流Ｉｄｗ、第２駆動電流Ｉｄｃ、調色相関色温度ＣＣＴの変化は、次のようになり、調色相関色温度ＣＣＴを安定させることが困難となる。
【０１３２】
調色段数ＤＣ１において、調光段数ＬＣ１では、第１駆動電流Ｉｄｗ＝９８ｍＡ、第２駆動電流Ｉｄｃ＝２ｍＡ（調光制御の最小値）であり、図４と同様の加重平均によって、調色相関色温度ＣＣＴ＝２７７６Ｋとなる。調光段数ＬＣ２では、第１駆動電流Ｉｄｗ＝８８ｍＡ、第２駆動電流Ｉｄｃ＝２ｍＡであり、調色相関色温度ＣＣＴ＝２７８４Ｋとなる。調光段数ＬＣ３では、第１駆動電流Ｉｄｗ＝７８ｍＡ、第２駆動電流Ｉｄｃ＝２ｍＡであり、調色相関色温度ＣＣＴ＝２７９５Ｋとなる。・・・。調光段数ＬＣ１０では、第１駆動電流Ｉｄｗ＝８ｍＡ、第２駆動電流Ｉｄｃ＝２ｍＡであり、調色相関色温度ＣＣＴ＝３４６０Ｋとなる。
【０１３３】
つまり、調色段数ＤＣ１では、第２駆動電流Ｉｄｃ＝２ｍＡで固定することから、第１駆動電流Ｉｄｗが９８ｍＡ（調光段数ＬＣ１）から低減され第１駆動電流Ｉｄｗ＝８ｍＡ（調光段数ＬＣ１０）まで減少すると、第１ＬＥＤ１１に対して第２ＬＥＤ１２の点灯状態が無視できない状態となり、調色相関色温度ＣＣＴは、第２相関色温度ＣＴ２の側へ寄ることとなる。
【０１３４】
調色段数ＤＣ５において、調光段数ＬＣ１では、第１駆動電流Ｉｄｗ＝５５．３３ｍＡ、第２駆動電流Ｉｄｃ＝４４．６７ｍＡであり、調色相関色温度ＣＣＴ＝４３９７Ｋとなる。・・・。調光段数ＬＣ１０では、第１駆動電流Ｉｄｗ＝５．３３ｍＡ、第２駆動電流Ｉｄｃ＝４．６７ｍＡであり、調色相関色温度ＣＣＴ＝４４７３Ｋとなる。
【０１３５】
つまり、調色段数ＤＣ５では、調光段数ＬＣ１の場合の調色相関色温度ＣＣＴが４３９７Ｋに対して調光段数ＬＣ１０の場合の調色相関色温度ＣＣＴが４４７３Ｋとなり、調色相関色温度ＣＣＴを一定に確保することができない。２％として設定した調光制御の最小値による影響は、調光段数ＬＣｍが小さくなるほど大きくなり、調色相関色温度ＣＣＴは、第２相関色温度ＣＴ２の側へ寄ることとなる。
【０１３６】
調色段数ＤＣ１０において、調光段数ＬＣ１では、第１駆動電流Ｉｄｗ＝２ｍＡ（調光制御の最小値）、第２駆動電流Ｉｄｃ＝９８ｍＡであり、図４と同様の加重平均によって、調色相関色温度ＣＣＴ＝６４２４Ｋとなる。調光段数ＬＣ２では、第１駆動電流Ｉｄｗ＝２ｍＡ、第２駆動電流Ｉｄｃ＝８８ｍＡであり、調色相関色温度ＣＣＴ＝６４１６Ｋとなる。調光段数ＬＣ３では、第１駆動電流Ｉｄｗ＝２ｍＡ、第２駆動電流Ｉｄｃ＝７８ｍＡであり、調色相関色温度ＣＣＴ＝６４０５Ｋとなる。・・・。調光段数ＬＣ１０では、第１駆動電流Ｉｄｗ＝２ｍＡ、第２駆動電流Ｉｄｃ＝８ｍＡであり、調色相関色温度ＣＣＴ＝５７４０Ｋとなる。
【０１３７】
つまり、調色段数ＤＣ１０では、第１駆動電流Ｉｄｗ＝２ｍＡで固定することから、第２駆動電流Ｉｄｃが９８ｍＡ（調光段数ＬＣ１）から低減され第２駆動電流Ｉｄｃ＝８ｍＡ（調光段数ＬＣ１０）まで減少すると、第２ＬＥＤ１２に対して第１ＬＥＤ１１の点灯状態が無視できない状態となり、調色相関色温度ＣＣＴは、第１相関色温度ＣＴ１の側へ寄ることとなる。
【０１３８】
調色段数ＤＣ６において、調光段数ＬＣ１では、第１駆動電流Ｉｄｗ＝４４．６７ｍＡ、第２駆動電流Ｉｄｃ＝５５．３３ｍＡであり、調色相関色温度ＣＣＴ＝４８０３Ｋとなる。・・・。調光段数ＬＣ１０では、第１駆動電流Ｉｄｗ＝４．６７ｍＡ、第２駆動電流Ｉｄｃ＝５．３３ｍＡであり、調色相関色温度ＣＣＴ＝４７２７Ｋとなる。
【０１３９】
つまり、調色段数ＤＣ６では、調光段数ＬＣ１の場合の調色相関色温度ＣＣＴが４８０３Ｋに対して調光段数ＬＣ１０の場合の調色相関色温度ＣＣＴが４７２７Ｋとなり、調色相関色温度ＣＣＴを一定に確保することができない。２％として設定した調光制御の最小値による影響は、調光段数ＬＣｍが小さくなるほど大きくなり、調色相関色温度ＣＣＴは、第１相関色温度ＣＴ１の側へ寄ることとなる。
【０１４０】
図７Ａは、図６に示した第１駆動電流Ｉｄｗおよび第２駆動電流Ｉｄｃによって調光制御および調色制御を施したときの調色段数ＤＣ１での調光率（調光段数ＬＣｍ）対調色相関色温度ＣＣＴの状態を示すグラフである。
【０１４１】
上述したとおり、常時２％という最小値で点灯される第２ＬＥＤ１２による影響を受け、調光率が１００％から１０％に低減されるに従って調色相関色温度ＣＣＴは、第２相関色温度ＣＴ２の側へ偏り、一定の調色相関色温度ＣＣＴを確保することができない。
【０１４２】
図７Ｂは、図６に示した第１駆動電流Ｉｄｗおよび第２駆動電流Ｉｄｃによって調光制御および調色制御を施したときの調色段数ＤＣ５での調光率（調光段数ＬＣｍ）対調色相関色温度ＣＣＴの状態を示すグラフである。
【０１４３】
図７Ｂの場合と同様に第２ＬＥＤ１２による影響があるが、調色相関色温度ＣＣＴの変化の絶対値は小さくなる。
【０１４４】
図７Ｃは、図６に示した第１駆動電流Ｉｄｗおよび第２駆動電流Ｉｄｃによって調光制御および調色制御を施したときの調色段数ＤＣ６での調光率（調光段数ＬＣｍ）対調色相関色温度ＣＣＴの状態を示すグラフである。
【０１４５】
図７Ｂの場合とは逆に、第１ＬＥＤ１１による影響があるが、調色相関色温度ＣＣＴの変化の絶対値は小さくなる。
【０１４６】
図７Ｄは、図６に示した第１駆動電流Ｉｄｗおよび第２駆動電流Ｉｄｃによって調光制御および調色制御を施したときの調色段数ＤＣ１０での調光率（調光段数ＬＣｍ）対調色相関色温度ＣＣＴの状態を示すグラフである。
【０１４７】
上述したとおり、常時２％という最小値で点灯される第１ＬＥＤ１１による影響を受け、調光率が１００％から１０％に低減されるに従って調色相関色温度ＣＣＴは、第１相関色温度ＣＴ１の側へ偏り、一定の調色相関色温度ＣＣＴを確保することができない。
【０１４８】
本比較例においても、調色段数ＤＣ１での第１駆動電流Ｉｄｗを２ｍＡではなく図４の場合と同様に０ｍＡとし、調色段数ＤＣ１０第２駆動電流Ｉｄｃを２ｍＡではなく図４の場合と同様に０ｍＡとすれば調色相関色温度ＣＣＴは、調色段数ＤＣｎで相関色温度の変化を生じない状態にすることができる。しかしながら、実際に視認性についての検討を実施したところ、調色段数ＤＣ１から調色段数ＤＣ２へ移行するとき、相関色温度が飛びすぎるという問題が生じた。その改善策として比較例では、調色段数ＤＣ１、調色段数ＤＣ１０において逆の相関色温度を有する側のＬＥＤを小さい電流で駆動したものであり、このような制御によって違和感の生じない駆動が得られている。
【符号の説明】
【０１４９】
１  照明装置
１１  第１ＬＥＤ
１２  第２ＬＥＤ
１３  第１駆動回路
１４  第２駆動回路
２０  制御部
２０ｂ  バス
２１  指定信号入力部
２２  指定信号判定部
２３  駆動制御部
２４  データ記憶部
３０  リモートコントローラ
ＢＳ  基準電位線
ＣＣＴ  調色相関色温度
ＣＴ１  第１相関色温度
ＣＴ２  第２相関色温度
ＤＣ１〜ＤＣ１０  調色段数（指定相関色温度）
ＤＣｎ  調色段数
Ｉｄｃ  第２駆動電流
Ｉｄｃｕ  第２駆動電流（特定電流値Ｉｕより小さい）
Ｉｄｗ  第１駆動電流
Ｉｄｗｕ  第１駆動電流（特定電流値Ｉｕより小さい）
Ｉｕ  特定電流値
ＬＣ１〜ＬＣ１０  調光段数（指定明るさ）
ＬＣｍ  調光段数
ＯＰ１  第１演算増幅器
ＯＰ２  第２演算増幅器
Ｐｍ１  変調パルス
Ｐｍ２  変調パルス
ＰＳ１  直流電源
Ｑ１１  第１スイッチング素子
Ｑ１２  第３スイッチング素子
Ｑ２１  第２スイッチング素子
Ｑ２２  第４スイッチング素子
Ｒ１  第１電流検出素子
Ｒ２  第２電流検出素子
Ｔｉｎ１  第１非反転入力端子
Ｔｉｎ２  第１反転入力端子
Ｔｉｎ３  第２非反転入力端子
Ｔｉｎ４  第２反転入力端子
Ｖｒｅｆ１  第１参照電圧
Ｖｒｅｆ２  第２参照電圧
ＶＳ１  第１参照電圧源
ＶＳ２  第２参照電圧源
【図１】
0005816074.tif 000002
【図２】
0005816074.tif 000003
【図３】
0005816074.tif 000004
【図４】
0005816074.tif 000005
【図５Ａ】
0005816074.tif 000006
【図５Ｂ】
0005816074.tif 000007
【図５Ｃ】
0005816074.tif 000008
【図５Ｄ】
0005816074.tif 000009
【図５Ｅ】
0005816074.tif 000010
【図５Ｆ】
0005816074.tif 000011
【図６】
0005816074.tif 000012
【図７Ａ】
0005816074.tif 000013
【図７Ｂ】
0005816074.tif 000014
【図７Ｃ】
0005816074.tif 000015
【図７Ｄ】
0005816074.tif 000016